(57)【要約】  本開示に係る穿刺針は、棒状の本体部の先端部に刃面が形成された医療用の穿刺針であって、前記刃面は、互いが交差する稜線により針先を一端とする刃縁を形成する第１刃面部及び第２刃面部と、前記第１刃面部及び前記第２刃面部の少なくとも一方の刃面部と前記本体部の基端側で連続し、前記本体部の中心軸線に対して傾斜する一平面により構成されている第３刃面部と、を備え、前記一平面が一直線に見える前記本体部の側面視において、前記第３刃面部の延長線は、前記少なくとも一方の刃面部のうち前記側面視で視認可能な１つの刃面部と交差する。
2019159525.tif 000002
【特許請求の範囲】
【請求項１】
棒状の本体部の先端部に刃面が形成された医療用の穿刺針であって、
前記刃面は、互いが交差する稜線により針先を一端とする刃縁を形成する第１刃面部及び第２刃面部と、前記第１刃面部及び前記第２刃面部の少なくとも一方の刃面部と前記本体部の基端側で連続し、前記本体部の中心軸線に対して傾斜する一平面により構成されている第３刃面部と、を備え、
前記一平面が一直線に見える前記本体部の側面視において、前記第３刃面部の延長線は、前記少なくとも一方の刃面部のうち前記側面視で視認可能な１つの刃面部と交差する穿刺針。
【請求項２】
前記側面視において、前記第３刃面部の前記延長線は、前記刃縁とは異なる位置で、前記１つの刃面部と交差する、請求項１に記載の穿刺針。
【請求項３】
前記側面視において、前記第３刃面部の先端が前記中心軸線まで到達している、又は、前記側面視において、前記第３刃面部が前記中心軸線と交差している、請求項１又は２に記載の穿刺針。
【請求項４】
前記側面視において、前記中心軸線は、前記１つの刃面部と重なる、請求項１乃至３のいずれか１つに記載の穿刺針。
【請求項５】
前記第１刃面部及び前記第２刃面部は、前記本体部の中心軸線方向における刃面領域の中間位置よりも基端側まで延在している、請求項１乃至４のいずれか１つに記載の穿刺針。
【請求項６】
棒状の本体部の先端部に刃面が形成された医療用の穿刺針であって、
前記刃面は、互いが交差する稜線により針先を一端とする刃縁を形成する第１刃面部及び第２刃面部と、前記第１刃面部及び前記第２刃面部に前記本体部の基端側で連続する第３刃面部と、を備え、
前記第３刃面部が線状に見える前記本体部の側面視において、前記第３刃面部は、凹形状を形成している穿刺針。
【請求項７】
前記第３刃面部は、凹形曲面により構成されている、請求項６に記載の穿刺針。
【請求項８】
前記第３刃面部は、複数の平面により構成されている、請求項６に記載の穿刺針。
【請求項９】
前記側面視において、前記第３刃面部の先端が前記本体部の中心軸線まで到達している、又は、前記側面視において、前記第３刃面部が前記本体部の中心軸線と交差している、請求項６乃至８のいずれか１つに記載の穿刺針。
【請求項１０】
前記側面視において、前記本体部の中心軸線は、前記第１刃面部及び前記第２刃面部のうち前記側面視で視認可能な１つの刃面部と重なる、請求項６乃至９のいずれか１つに記載の穿刺針。
【請求項１１】
前記第１刃面部及び前記第２刃面部は、前記本体部の中心軸線方向における刃面領域の中間位置よりも基端側まで延在している、請求項６乃至１０のいずれか１つに記載の穿刺針。
【発明の詳細な説明】
【技術分野】
【０００１】
本開示は穿刺針に関する。
【背景技術】
【０００２】
従来、採血針や輸液用の留置針などの医療用の穿刺針としては、穿刺針を人体へ穿刺する際の痛みを軽減するため、穿刺針の長手方向に対して角度の異なる複数の刃面を有する先端部を備えるものが知られている。【０００３】
特許文献１には、このような穿刺針としての注射針が開示されている。特許文献１の注射針は、円筒状の本体の尖端部を、何れか一方から斜めに切除してテーパー状の尖端部を形成した注射針であり、円筒状の本体の外周から接続し且つ本体の軸線方向（長手方向）に対して所定の角度で形成された第１の傾斜面と、この第１の傾斜面に接続し且つ本体の軸線方向に対する角度が第１の傾斜面よりも大きな角度で形成された第２の傾斜面と、この第２の傾斜面に接続し且つ刃先と接続し且つ本体の軸線方向に対する角度が当該第２の傾斜面よりも大きな角度で形成された第３の傾斜面と、を備えている。【０００４】
また、特許文献２においても穿刺針としての皮下注射針が開示されている。特許文献２の皮下注射針は多斜角面の形状の先端を有し、この多斜角面の形状の先端が、主斜角面と、一対の中間斜角面と、一対の先端斜角面と、を有している。
【先行技術文献】
【特許文献】
【０００５】
【特許文献１】特開２０００−２６２６１５号公報
【特許文献２】特開平１０−５７４９０号公報
【発明の概要】
【発明が解決しようとする課題】
【０００６】
特許文献１や特許文献２の注射針のように、長手方向に対する角度が異なる複数の面を接続した刃面を有する先端部とすることにより、面同士の境界に形成される稜線（ジャンクション）による刺通抵抗を低減し、注射針を人体へ穿刺する際の痛みを軽減することができる。【０００７】
ところで、血管等の脈管内に穿刺する穿刺針の場合、脈管内に刃面全体が入り込み易くなるように、穿刺針の中心軸線方向における刃面の長さ（以下、「刃面長」と記載する。）が短い穿刺針が使用されることが一般的である。このような刃面長が短い穿刺針では、中心軸線方向に対する角度が異なる複数の面を形成して刃面を多面化しても、側面視における刃面の刃先がなす角度（以下、「刃先角度」と記載する。）を小さくすることはできず、刃先角度が比較的大きくなり易い。そのため、刃先の刺通抵抗が大きくなり、刃先を刺通する際の痛みを軽減することが難しいという問題がある。また、刃先の刺通抵抗が大きいと、脈管に穿刺する際に、血管壁等の脈管壁を円滑に刺通することができず、脈管が刃先に押されて逃げてしまうこともある。【０００８】
そこで本開示は、刃面長に関わらず、刃先角度を小さくすることが可能な刃面形状を有する穿刺針を提供することを目的とする。
【課題を解決するための手段】
【０００９】
本発明の第１の態様としての穿刺針は、棒状の本体部の先端部に刃面が形成された医療用の穿刺針であって、前記刃面は、互いが交差する稜線により針先を一端とする刃縁を形成する第１刃面部及び第２刃面部と、前記第１刃面部及び前記第２刃面部の少なくとも一方の刃面部と前記本体部の基端側で連続し、前記本体部の中心軸線に対して傾斜する一平面により構成されている第３刃面部と、を備え、前記一平面が一直線に見える前記本体部の側面視において、前記第３刃面部の延長線は、前記少なくとも一方の刃面部のうち前記側面視で視認可能な１つの刃面部と交差する。【００１０】
本発明の１つの実施形態として、前記側面視において、前記第３刃面部の前記延長線は、前記刃縁とは異なる位置で、前記１つの刃面部と交差する。【００１１】
本発明の１つの実施形態として、前記側面視において、前記第３刃面部の先端が前記中心軸線まで到達している、又は、前記側面視において、前記第３刃面部が前記中心軸線と交差している。【００１２】
本発明の１つの実施形態として、前記側面視において、前記中心軸線は、前記１つの刃面部と重なる。【００１３】
本発明の１つの実施形態として、前記第１刃面部及び前記第２刃面部は、前記本体部の中心軸線方向における刃面領域の中間位置よりも基端側まで延在している。【００１４】
本発明の第２の態様としての穿刺針は、棒状の本体部の先端部に刃面が形成された医療用の穿刺針であって、前記刃面は、互いが交差する稜線により針先を一端とする刃縁を形成する第１刃面部及び第２刃面部と、前記第１刃面部及び前記第２刃面部に前記本体部の基端側で連続する第３刃面部と、を備え、前記第３刃面部が線状に見える前記本体部の側面視において、前記第３刃面部は、凹形状を形成している。【００１５】
本発明の１つの実施形態として、前記第３刃面部は、凹形曲面により構成されている。【００１６】
本発明の１つの実施形態として、前記第３刃面部は、複数の平面により構成されている。【００１７】
本発明の１つの実施形態として、前記側面視において、前記第３刃面部の先端が前記本体部の中心軸線まで到達している、又は、前記側面視において、前記第３刃面部が前記本体部の中心軸線と交差している。【００１８】
本発明の１つの実施形態として、前記側面視において、前記本体部の中心軸線は、前記第１刃面部及び前記第２刃面部のうち前記側面視で視認可能な１つの刃面部と重なる。【００１９】
本発明の１つの実施形態として、前記第１刃面部及び前記第２刃面部は、前記本体部の中心軸線方向における刃面領域の中間位置よりも基端側まで延在している。
【発明の効果】
【００２０】
本開示によれば、刃面長に関わらず、刃先角度を小さくすることが可能な刃面形状を有する穿刺針を提供することができる。
【図面の簡単な説明】
【００２１】
【図１】図１（ａ）、（ｂ）、（ｃ）、（ｄ）は、それぞれ一実施形態としての穿刺針の本体部の正面図、側面図、背面図、斜視図である。
【図２】図２（ａ）、（ｂ）は、それぞれ図１（ａ）、（ｂ）に示す穿刺針の本体部における先端部近傍の拡大図である。
【図３】図１に示す穿刺針の本体部を先端側から見た図である。
【図４】図４（ａ）、（ｂ）、（ｃ）、（ｄ）は、それぞれ図２（ａ）におけるI-I断面図、II-II断面図、III-III断面図、IV-IV断面図である。
【図５】図５（ａ）、（ｂ）、（ｃ）、（ｄ）は、それぞれ一実施形態としての穿刺針の本体部の正面図、側面図、背面図、斜視図である。
【図６】図６（ａ）、（ｂ）は、それぞれ図５（ａ）、（ｂ）に示す穿刺針の本体部における先端部近傍の拡大図である。
【図７】図５に示す穿刺針の本体部を先端側から見た図である。
【図８】図８（ａ）、（ｂ）、（ｃ）、（ｄ）、（ｅ）は、それぞれ図６（ａ）におけるV-V断面図、VI-VI断面図、VII-VII断面図、VIII-VIII断面図、IX-IX断面図である。
【図９】図９（ａ）、（ｂ）、（ｃ）、（ｄ）は、それぞれ、図７に示す穿刺針の変形例としての穿刺針の本体部の正面図、側面図、背面図、斜視図である。
【図１０】図１０（ａ）、（ｂ）は、それぞれ図９（ａ）、（ｂ）に示す穿刺針の本体部における先端部近傍の拡大図である。
【図１１】既存の穿刺針の本体部の側面を示す側面図である。
【発明を実施するための形態】
【００２２】
以下、本開示に係る穿刺針の実施形態について、図１〜図１１を参照して説明する。各図において共通する部材・部位には同一の符号を付している。
【００２３】
＜第１実施形態＞
図１は、一実施形態としての穿刺針１の本体部２を示す図である。具体的に、図１（ａ）は、穿刺針１の本体部２の正面図、図１（ｂ）は、穿刺針１の本体部２の側面図、図１（ｃ）は、穿刺針１の本体部２の背面図を示すものである。図１（ｄ）は、穿刺針１の本体部２の斜視図である。また、図２（ａ）は、図１（ａ）に示す穿刺針１の本体部２の一部を拡大した拡大正面図である。図２（ｂ）は、図１（ｂ）に示す穿刺針１の本体部２の一部を拡大した拡大側面図である。
【００２４】
図１（ａ）〜図１（ｄ）、図２（ａ）、図２（ｂ）に示すように、穿刺針１は、棒状の本体部２を備えており、この本体部２の先端部３に刃面４が形成されている。本体部２は、管体であり、本体部２の中心軸線Ｏと平行な軸線方向（以下、「中心軸線方向Ａ」と記載する。）において連通する中空部１０を区画している。
【００２５】
より具体的に、本実施形態の本体部２は、中心軸線方向Ａと直交する横断面の外形が略円形状となる管体である。
【００２６】
図１（ａ）〜図１（ｄ）、図２（ａ）、図２（ｂ）に示すように、刃面４は複数の刃面部により構成されている。本実施形態の刃面４は、一つの平面により構成されている第１刃面部５、１つの平面により構成されている第２刃面部６、及び、１つの平面により構成されている第３刃面部７、を備えている。
【００２７】
第１刃面部５及び第２刃面部６は、刃面４のうち、本体部２の先端側に形成されている。また、第１刃面部５及び第２刃面部６は、互いが交差する稜線により針先８を一端とする刃縁９を形成している。「針先」とは、中心軸線方向Ａにおける穿刺針１の先端、すなわち本体部２の先端を意味すると共に、刃面４の先端である刃先を意味するものである。したがって、以下、「先端側」とは、中心軸線方向Ａにおける針先側を意味し、「基端側」とは、中心軸線方向Ａにおける針先側とは反対側を意味する。
【００２８】
第１刃面部５は、本体部２の基端側で、第３刃面部７と連続している。また、第２刃面部６は、本体部２の基端側で、第３刃面部７と連続している。すなわち、本実施形態の第３刃面部７は、第１刃面部５及び第２刃面部６の両方の刃面部と、本体部２の基端側で、連続している。
【００２９】
より具体的に、第３刃面部７は、本体部２の中心軸線Ｏに対して傾斜する一平面により構成されている。また、本実施形態の第３刃面部７は、刃面４の基端を構成している。換言すれば、本実施形態の第３刃面部７は、本体部２の基端側で、本体部２の筒状の外周面と連続している。したがって、本実施形態の第３刃面部７は、本体部２の先端側で、上述したように第１刃面部５及び第２刃面部６と連続すると共に、本体部２の基端側で、本体部２の筒状の外周面と連続している。
【００３０】
このように、本実施形態の刃面４は、平面状の刃面部を連続して形成されている。
【００３１】
本実施形態の刃面４の内縁は、第１刃面部５の内縁、第２刃面部６の内縁、及び、第３刃面部７の内縁、により構成されている。この刃面４の内縁は、本体部２の中空部１０のうち本体部２の先端側の一端である先端開口１１を区画している。
【００３２】
本実施形態の刃面４の外縁は、第１刃面部５の外縁、第２刃面部６の外縁、及び、第３刃面部７の外縁、により構成されている。刃面４の外縁は、刃面４が形成されている刃面領域Ｔを画定している。したがって、刃面４の外縁の中心軸線方向Ａにおける最大長さが、中心軸線方向Ａにおける刃面の長さＨ（以下、「刃面長Ｈ」と記載する。）となる。
【００３３】
ここで、第３刃面部７を構成する一平面が一直線に見える本体部２の側面視（図１（ｂ）、図２（ｂ）参照）において、第３刃面部７の延長線Ｌは、第１刃面部５及び第２刃面部６のうち同側面視で視認可能な刃面部と交差する。図１（ｂ）、図２（ｂ）に示す側面視では、第１刃面部５及び第２刃面部６のうち、第２刃面部６が、上述の視認可能な刃面部に該当する。したがって、図１（ｂ）、図２（ｂ）に示す側面視において、第３刃面部７の延長線Ｌは、第２刃面部６と交差している。以下、「第３刃面部７を構成する一平面が一直線に見える本体部２の側面視」を、単に「本体部２の側面視」と記載する。
【００３４】
このように、本体部２の側面視（図１（ｂ）、図２（ｂ）参照）において、第３刃面部７の延長線Ｌが、第１刃面部５及び第２刃面部６のうち同側面視で視認可能な刃面部と交差する構成とすることで、同側面視での第３刃面部７の延長線が、第１刃面部５及び第２刃面部６のうち同側面視で視認可能な刃面部と交差しない構成と比較して、刃先角度αの小さい穿刺針１が実現し易くなる。ここで言う「刃先角度α」とは、本体部２の側面視（図１（ｂ）、図２（ｂ）参照）において、刃縁９と、この刃縁９の裏面とが針先８にて交わる角度を意味している。図１（ｂ）、図２（ｂ）に示すように、本実施形態の本体部２の側面視では、中心軸線方向Ａと直交する方向Ｂの一端に針先８が位置している。
【００３５】
図１１は、既存の穿刺針５０１の本体部５０２の側面を示す側面図である。図１１に示す既存の穿刺針５０１の本体部５０２は、一つの平面により構成されている第１刃面部（不図示）、１つの平面により構成されている第２刃面部５０６、及び、１つの平面により構成されている第３刃面部５０７、からなる刃面５０４を備える。このような既存の穿刺針５０１では、図１１に示す側面視において、第３刃面部５０７の延長線Ｌ´が、第２刃面部５０６と交差しない。このような構成では、刃先角度α´が、第３刃面部５０７の延長線Ｌ´と中心軸線Ｏとで形成される第３刃面部５０７の傾斜角度β´よりも大きくなる。
【００３６】
したがって、既存の穿刺針５０１では、刃面長Ｈを小さくするために、第３刃面部５０７の中心軸線Ｏに対する鋭角の傾斜角度β´を大きくすると、それに伴って刃先角度α´も大きくなる。つまり、既存の穿刺針５０１では、刃面長Ｈ´及び刃先角度α´を共に小さくする構成が実現し難い。
【００３７】
これに対して、穿刺針１では、本体部２の側面視（図１（ｂ）、図２（ｂ）参照）において、第３刃面部７の延長線Ｌが、第１刃面部５及び第２刃面部６のうち同側面視で視認可能な刃面部と交差する。このような構成にすることで、刃先角度αを、第３刃面部７の延長線Ｌと中心軸線Ｏとで形成される第３刃面部７の鋭角の傾斜角度β以下にすることができる。したがって、穿刺針１では、刃面長Ｈを小さくするために、第３刃面部７の中心軸線Ｏに対する傾斜角度βを大きくしても、それに伴って刃先角度αが大きくならない構成が実現できる。つまり、穿刺針１では、刃面長Ｈ及び刃先角度αを共に小さくする構成が実現し易い。
【００３８】
本実施形態の穿刺針１では、図１（ｂ）及び図２（ｂ）に示す側面と反対側の側面（以下、「反対側面」と記載する。）においても、上記同様の関係が成立している。具体的に、反対側面の側面視において、第３刃面部７の延長線Ｌは、第１刃面部５及び第２刃面部６のうち同側面視で視認可能な刃面部と交差する。反対側面の側面視では、第１刃面部５及び第２刃面部６のうち、第１刃面部５が、上述の視認可能な刃面部に該当する。したがって、反対側面の側面視において、第３刃面部７の延長線Ｌは、第１刃面部５と交差している。
【００３９】
本実施形態の第３刃面部７は、第１刃面部５及び第２刃面部６の両方の刃面部と、本体部２の基端側で連続している一平面であるが、この構成に限らず、第１刃面部５及び第２刃面部６のいずれか一方の刃面部と、本体部２の基端側で連続する、一平面で構成される第３刃面部としてもよい。更に、第１刃面部５及び第２刃面部６それぞれが、別々の一平面で構成される第３刃面部と連続する構成であってもよい。
【００４０】
以上より、第３刃面部は、第１刃面部及び第２刃面部の少なくとも一方の刃面部と、本体部の基端側で連続していればよい。また、第３刃面部を構成する一平面が一直線に見える本体部の側面視において、第３刃面部の延長線は、第３刃面部と連続する上記少なくとも一方の刃面部のうち、同側面視で視認可能な１つの刃面部と交差していればよい。
【００４１】
但し、上述した本実施形態のように、第１刃面部５及び第２刃面部６の両方の刃面部と、本体部２の基端側で連続し、一平面で構成されている第３刃面部７とすれば、刃面長Ｈ及び刃先角度αを共に小さくする構成を、少ない平面の数により実現し易くなる。つまり、平面が交差する稜線により構成される尾根部を減らすことができる。そのため、穿刺時に、尾根部によって刺通抵抗が増大することを抑制できる。
【００４２】
更に、本実施形態では、本体部２の側面視（図１（ｂ）、図２（ｂ）参照）において、第３刃面部７の延長線Ｌは、刃縁９とは異なる位置で、第２刃面部６と交差する。このようにすることで、同側面視における第３刃面部７の延長線Ｌは、刃縁９よりも本体部２の基端側の位置で、第２刃面部６と交差する。つまり、同側面視における第３刃面部の延長線が刃縁と交差する構成と比較して、第３刃面部７の中心軸線Ｏに対する鋭角の傾斜角度βを大きくでき、刃面長Ｈをより短い構成とすることができる。
【００４３】
本実施形態の穿刺針１では、不図示の反対側面においても、上記同様の関係が成立している。具体的に、反対側面の側面視において、第３刃面部７の延長線Ｌは、刃縁９とは異なる位置で、第１刃面部５と交差する。このようにすることで、反対側面の側面視における第３刃面部７の延長線Ｌは、刃縁９よりも本体部２の基端側の位置で、第１刃面部５と交差する。
【００４４】
このように、図１（ｂ）、図２（ｂ）に示す側面と、反対側面と、を同様の構成にすることで、刃面長Ｈを、より一層短い構成にすることが可能となる。
【００４５】
また、本実施形態において、側面視（図１（ｂ）、図２（ｂ）参照）での本体部２は、中心軸線Ｏにより２つの領域に分けられる。２つの領域は、針先８が含まれる先端領域Ｓ１、及び、針先８を含まない基端領域Ｓ２、である。そして、本実施形態では、本体部２の側面視（図１（ｂ）、図２（ｂ）参照）において、第３刃面部７の少なくとも一部が、基端領域Ｓ２に位置している。
【００４６】
更に、本実施形態では、本体部２の側面視（図１（ｂ）、図２（ｂ）参照）において、第３刃面部７の先端が、中心軸線Ｏまで到達している。つまり、本実施形態の第３刃面部７の先端は、本体部２の側面視（図１（ｂ）、図２（ｂ）参照）において、中心軸線Ｏ上に位置する。但し、本体部２の側面視（図１（ｂ）、図２（ｂ）参照）において、第３刃面部７が、中心軸線Ｏと交差している構成としてもよい。つまり、第３刃面部７が、本体部２の側面視（図１（ｂ）、図２（ｂ）参照）において、先端領域Ｓ１と基端領域Ｓ２とに跨って延在し、同側面視において、第３刃面部７の先端が、先端領域Ｓ１に位置する構成としてもよい。
【００４７】
本実施形態の穿刺針１では、不図示の反対側面においても、上記同様の関係が成立している。具体的に、本実施形態では、本体部２の反対側面の側面視（不図示）において、第３刃面部７の先端が、中心軸線Ｏまで到達している。つまり、本実施形態の第３刃面部７の先端は、本体部２の反対側面の側面視において、中心軸線Ｏ上に位置する。但し、本体部２の反対側の側面視において、第３刃面部７が、中心軸線Ｏと交差している構成としてもよい。つまり、第３刃面部７が、本体部２の反対側面の側面視において、先端領域Ｓ１と基端領域Ｓ２とに跨って延在し、同側面視において、第３刃面部７の先端が、先端領域Ｓ１に位置する構成としてもよい。
【００４８】
ここで、本実施形態において、第３刃面部７の先端とは、第１刃面部５及び第２刃面部６それぞれと、第３刃面部７と、が交差する稜線により形成される尾根部１４の先端である。
【００４９】
更に、本実施形態では、本体部２の側面視（図１（ｂ）、図２（ｂ）参照）において、中心軸線Ｏが、第２刃面部６と重なる。換言すれば、本実施形態では、本体部２の側面視（図１（ｂ）、図２（ｂ）参照）において、中心軸線Ｏが、第２刃面部６と交差している。このような構成とすれば、刃面４において、刃縁９から延在する第２刃面部６の中心軸線方向Ａの長さを、比較的大きく確保することができる。刃面長Ｈにおける、第２刃面部６の中心軸線方向Ａにおける長さの割合を大きくすることができれば、刃先角度αを、より小さくすることが可能となり、刃先の薄い穿刺針１を実現し易くなる。
【００５０】
本実施形態の穿刺針１では、不図示の反対側面においても、上記同様の関係が成立している。具体的に、本実施形態では、本体部２の反対側面の側面視において、中心軸線Ｏが、第１刃面部５と重なる。換言すれば、本実施形態では、本体部２の反対側面の側面視において、中心軸線Ｏが、第１刃面部５と交差している。このような構成とすれば、刃面４において、刃縁９から延在する第１刃面部５の中心軸線方向Ａの長さを、比較的大きく確保することができる。
【００５１】
このように、図１（ｂ）、図２（ｂ）に示す側面と、反対側面と、を同様の構成にすることで、刃先角度αを、より一層小さくすることが可能となり、刃先の薄い穿刺針１を実現し易くなる。
【００５２】
また、本実施形態では、第１刃面部５及び第２刃面部６は、中心軸線方向Ａにおける刃面領域Ｔの中間位置Ｍよりも基端側まで延在している。このような構成とすることで、刃面４において、刃縁９を形成する第１刃面部５及び第２刃面部６の中心軸線方向Ａの長さを、比較的大きく確保することができる。第１刃面部５及び第２刃面部６の中心軸線方向Ａにおける長さを大きくすることができれば、第１刃面部５及び第２刃面部６それぞれを平面により構成したとしても、刃先角度αを比較的小さくすることが可能となり、刃先の薄い穿刺針１を実現することができる。
【００５３】
また、本実施形態では、第１刃面部５及び第２刃面部６の両方が中間位置Ｍよりも本体部２の基端側まで延在する構成であるが、この構成に限らず、第１刃面部５及び第２刃面部６の少なくともいずれか一方の刃面部が、中間位置Ｍよりも本体部２の基端側まで延在する構成であればよい。但し、本実施形態のように第１刃面部５及び第２刃面部６の両方が中間位置Ｍよりも本体部２の基端側まで延在する構成とすれば、いずれか一方の刃面部のみが中間位置Ｍよりも本体部２の基端側まで延在する構成とする場合と比較して、刃先角度αが小さい構成をより容易に実現することができる。そのため、本実施形態のように、第１刃面部５及び第２刃面部６の両方を平面により形成し、第１刃面部５及び第２刃面部６の両方が中間位置Ｍよりも本体部２の基端側まで延在する構成とすることが好ましい。
【００５４】
本体部２の材料としては、ステンレス鋼、アルミニウムまたはアルミニウム合金、チタンまたはチタン合金等の金属材料を使用することができる。
【００５５】
以下、本実施形態の穿刺針１の更なる詳細を説明する。
【００５６】
［本体部２］
本実施形態の本体部２は、中心軸線方向Ａにおいて、内周面の内径及び外周面の外径が一様な管体であり、中心軸線方向Ａにおける基端側の端部は、針基等を介して例えばシリンジなどの医療用器具に接続される。したがって、穿刺針１は、本体部２に接続された針基等を備える構成であってもよい。
【００５７】
本実施形態の本体部２では、内周面が中空部１０を区画し、内周面の内径及び外周面の外径が中心軸線方向Ａにおいて一様な構成であるが、この構成に限られるものではない。例えば、本体部２の内周面の内径及び外周面の外径が、中心軸線方向Ａにおいて、先端側に向かって漸減する構成としてもよい。また、例えば、本体部２の外径を、中心軸線方向Ａにおいて先端側に向かうにつれて漸減するテーパー形状とし、本体部２の内径を、中心軸線方向Ａにおいて一様な構成とすることもできる。更に、中心軸線方向Ａにおける本体部２の一部の領域に、中心軸線方向Ａにおいて先端側に向かうにつれて内径が漸減する、又は漸増する部位を設けるなど、本体部２の内径及び外径は、穿刺針１の用途等に応じて、各種の構成を採用することが可能である。
【００５８】
［第１刃面部５及び第２刃面部６］
図２（ａ）に示すように、第１刃面部５及び第２刃面部６のそれぞれは、中心軸線方向Ａにおける本体部２の基端側で、第３刃面部７と連続している。
【００５９】
図３は、穿刺針１を先端側から見た図である。また、図４（ａ）、図４（ｂ）、図４（ｃ）、図４（ｄ）は、それぞれ図２（ａ）におけるI−I断面図、II-II断面図、III-III断面図、IV-IV断面図である。図３、図４に示す符号「Ｘ」は、本体部２の中心軸線Ｏ及び針先８を含む１つの仮想平面であり、以下「中心平面Ｘ」と記載する。本実施形態の中心平面Ｘは、針先８のみならず、刃縁９をも含む平面であり、本実施形態の本体部２は、中心平面Ｘを挟んで対称の構造を有している。また、図３、図４では、刃面部間の稜線を実線により示している。
【００６０】
図４（ａ）は、図２（ａ）のI-I断面、すなわち、中心軸線方向Ａにおいて刃縁９が形成されている位置での、中心軸線方向Ａと直交する断面である。図４（ａ）に示すように、第１刃面部５及び第２刃面部６それぞれは、中心平面Ｘに対して鋭角の角度θ１だけ傾斜して延在している。
【００６１】
図４（ｂ）は、図２（ａ）のII-II断面、すなわち、中心軸線方向Ａにおいて先端開口１１がある位置での、第１刃面部５及び第２刃面部６を含み、かつ、第３刃面部７を含まない、中心軸線方向Ａと直交する断面である。図４（ｂ）に示すように、図２（ａ）のII-II断面における第１刃面部５及び第２刃面部６それぞれの、中心平面Ｘに対する鋭角の角度θ２は、角度θ１と等しい。
【００６２】
図４（ｃ）は、図２（ａ）のIII-III断面、すなわち、中心軸線方向Ａにおいて先端開口１１がある位置での、第１刃面部５、第２刃面部６及び第３刃面部７を含む、中心軸線方向Ａと直交する断面である。図４（ｃ）に示すように、図２（ａ）のIII-III断面における第１刃面部５及び第２刃面部６それぞれの、中心平面Ｘに対する鋭角の角度θ３は、角度θ１及び角度θ２と等しい。
【００６３】
このように、中心軸線方向Ａと直交する断面における第１刃面部５及び第２刃面部６それぞれの中心平面Ｘに対する鋭角の角度θは、中心軸線方向Ａの位置によらず一定である。
【００６４】
［第３刃面部７］
本実施形態の第３刃面部７は平面により構成されている。具体的に、第３刃面部７は、図２（ｂ）の側面視が、中心軸線方向Ａにおいて針先８に向かうにつれ中心軸線Ｏに近づくように傾斜した直線状の平面である。第３刃面部７の中心軸線方向Ａに対する傾斜角度βは、中心軸線Ｏ全体を含む断面での中心軸線方向Ａに対する本体部２の外周面の傾斜角度よりも大きい。
【００６５】
本実施形態では、穿刺針１の本体部２の外径が中心軸線方向Ａにおいて一様な構成であり、中心軸線Ｏ全体を含む断面で見た場合に、本体部２の外周面は中心軸線方向Ａに延在している。従って、第３刃面部７が、中心軸線方向Ａに対して傾斜していれば、第３刃面部７の傾斜角度βは、本体部２の外壁の傾斜角度よりも大きくなる。但し、穿刺針の本体部を、その外径が中心軸線方向Ａにおいて先端側に向かうにつれて漸減又は漸増する構成とする場合には、第３刃面部は、中心軸線方向Ａに対して傾斜するのみならず、中心軸線Ｏ全体を含む断面での本体部２の外周面に対しても傾斜するように構成する。
【００６６】
また、本実施形態において、刃面４の内縁の基端（図２（ａ）における点「Ｎ」参照）は、第３刃面部７の内縁に設けられている。更に、刃面４の内縁は、その先端から基端に至るまで、本体部２の先端側から基端側に向かって延びている。より具体的に、本実施形態において、刃面４の内縁が中心平面Ｘと交わる２点のうち、本体部２の先端側の点が刃面４の内縁の先端であり、本体部２の基端側の点が刃面４の内縁の基端（図２（ａ）における点「Ｎ」参照）である。そして、刃面４の内縁は、刃面４の内縁の先端から基端に至るまで、常に、本体部２の先端側から基端側に向かって延びており、基端側から先端側に向かうような部分は存在しない。先端開口１１は、正面視（図２（ａ）参照）において、涙滴状である。
【００６７】
次に、中心軸線方向Ａと直交する断面における第３刃面部７の構成について説明する。
【００６８】
図４（ｃ）に示すように、図２（ａ）のIII-III断面における第３刃面部７の中心平面Ｘに対する角度δ３は約９０度である。換言すれば、図２（ａ）のIII-III断面において、第３刃面部７は、中心平面Ｘと直交する方向に直線状に延在している。
【００６９】
図４（ｄ）は、図２（ａ）のIV-IV断面、すなわち、中心軸線方向Ａにおいて先端開口１１よりも基端側の位置での、第３刃面部７のみを含む、中心軸線方向Ａと直交する断面である。図４（ｄ）に示すように、図２（ａ）のIV-IV断面における第３刃面部７の中心平面Ｘに対する角度δ４は約９０度である。換言すれば、図２（ａ）のIV-IV断面において、第３刃面部７は、中心平面Ｘと直交する方向に直線状に延在している。
【００７０】
このように、中心軸線方向Ａと直交する断面における第３刃面部７の中心平面Ｘに対する角度δは、中心軸線方向Ａの位置によらず約９０度で一定である（図４（ｃ）、図４（ｄ）参照）。
【００７１】
[側面視における刃面４の形状について]
本体部２の側面視（図２（ｂ）等参照）における第３刃面部７の傾斜角度βは、１３度以上、かつ、２０度以下の範囲となっている。このような構成とすることにより、刃面４の刃面長Ｈを、筋肉注射等に主に利用される所謂「レギュラーベベル」（上述と同様の手法により計測される傾斜角度が１２度となる刃面が形成された穿刺針）の刃面長よりも短くし、静脈注射等に主に利用される所謂「ショートベベル」（上述と同様の手法により計測される傾斜角度が１８度となる刃面が形成された穿刺針）の刃面長と同程度の刃面長としつつ、刃先角度αを「レギュラーベベル」と同程度又はそれ以下の角度にすることができる。
【００７２】
つまり、静脈等の脈管の突き抜けが起こり難い短い刃面長を有しつつ、刃面４での刺通抵抗が低減でき脈管の確保が容易な穿刺針１を実現することができる。また、針先８近傍での刺通抵抗が低減できることから、刺通抵抗の変化量を小さくでき、穿刺する際に医療従事者が穿刺方向に加える力の変化量をも小さくすることができる。そのため、穿刺する際に、医療従事者が操作し易い穿刺針１を実現することができる。
【００７３】
また、本実施形態における第３刃面部７は刃面４の基端まで延在する一平面で構成されているが、第３刃面部７よりも基端側に別の刃面部を設けてもよい。例えば、第３刃面部７と連続し、傾斜角度βよりも小さい傾斜角度を持つ刃面部を設けることで、穿刺時の刃面４の基端部における刺通抵抗を低減することができる。若しくは、第３刃面部７と連続し、凸形の曲面により構成される別の刃面部を設けてもよい。同様に、穿刺時の刃面４の基端部における刺通抵抗を低減することができる。
【００７４】
なお、図２（ｂ）に示す延長線Ｌの中心軸線Ｏに対する角度を、１３度以上、かつ、２０度以下の範囲としつつ、１５度〜２７度の刃先角度αとすることが好ましい。刃先角度αが１５度未満の場合には、刃先が薄くなり過ぎるため、製造工程におけるダメージ等により所定の性能を満足できなくなるおそれがあり、製造が難しくなる。また、２７度を超える場合には、所謂ショートベベルの刃先角度αと同等になるため、穿刺時の刺通抵抗が大きくなる。
【００７５】
＜第２実施形態＞
次に、上述した第１実施形態の穿刺針１とは別の実施形態としての穿刺針１０１について説明する。本実施形態の穿刺針１０１は、上述した穿刺針１と比較して、刃面の構成が相違しているが、その他の構成は同様である。
【００７６】
図５は、一実施形態としての穿刺針１０１の本体部１０２を示す図である。具体的に、図５（ａ）は、穿刺針１０１の本体部１０２の正面図、図５（ｂ）は、穿刺針１０１の本体部１０２の側面図、図５（ｃ）は、穿刺針１０１の本体部１０２の背面図を示すものである。図５（ｄ）は、穿刺針１０１の本体部１０２の斜視図である。また、図６（ａ）は、図５（ａ）に示す穿刺針１０１の本体部１０２の一部を拡大した拡大正面図である。図６（ｂ）は、図５（ｂ）に示す穿刺針１０１の本体部１０２の一部を拡大した拡大側面図である。
【００７７】
図５、図６に示すように、穿刺針１０１の棒状の本体部１０２の先端部１０３に刃面１０４が形成されている。刃面１０４は、第１刃面部１０５、第２刃面部１０６、及び、第３刃面部１０７、を備えている。
【００７８】
第１刃面部１０５と第２刃面部６とは、互いが交差する稜線により、針先１０８を一端とする刃縁１０９を形成している。本体部１０２は、先端開口１１１を一端とする中空部１１０を区画している。穿刺針１０１の第１刃面部１０５及び第２刃面部１０６の構成は、中心軸線方向Ａの長さが異なるが、それ以外の点については、上述した穿刺針１の第１刃面部５及び第２刃面部６の構成と同様である。例えば、本実施形態においても、第１刃面部１０５及び第２刃面部１０６は、本体部１０２の中心軸線方向Ａにおける刃面領域Ｔの中間位置Ｍよりも基端側まで延在している。
【００７９】
第１刃面部１０５は、本体部１０２の基端側で、第３刃面部１０７と連続している。また、第２刃面部１０６は、本体部１０２の基端側で、第３刃面部１０７と連続している。すなわち、本実施形態の第３刃面部１０７は、第１刃面部１０５及び第２刃面部１０６の両方の刃面部と、本体部１０２の基端側で、連続している。
【００８０】
第３刃面部１０７が線状に見える本体部１０２の側面視（図５（ｂ）、図６（ｂ）参照）において、第３刃面部１０７は、凹形状を形成している。より具体的に、本実施形態の第３刃面部１０７は、凹形曲面により構成されている。以下、第３刃面部１０７が構成する凹形曲面が線状に見える本体部１０２の側面視（図５（ｂ）、図６（ｂ）参照）を、単に「本体部１０２の側面視」と記載する。
【００８１】
このような構成とすることで、図１１に示す既存の穿刺針５０１と比較して、薄い刃先を実現し易くなる。つまり、刃先角度αの小さい穿刺針１０１が実現し易くなる。そのため、図１１に示す既存の穿刺針５０１と比較して、刃面長Ｈ及び刃先角度αを共に小さくする構成が実現し易くなる。
【００８２】
また、本実施形態の第３刃面部１０７は、刃面１０４の基端を構成している。換言すれば、本実施形態の第３刃面部１０７は、本体部１０２の基端側で、本体部１０２の筒状の外周面と連続している。したがって、本実施形態の第３刃面部１０７は、本体部１０２の先端側で、上述したように第１刃面部１０５及び第２刃面部１０６と連続すると共に、本体部１０２の基端側で、本体部１０２の筒状の外周面と連続している。
【００８３】
このように、本実施形態の刃面１０４は、それぞれ一平面で構成される第１刃面部１０５及び第２刃面部１０６と、凹形曲面で構成される第３刃面部１０７と、を連続して形成されている。
【００８４】
本実施形態の刃面１０４の内縁は、第１刃面部１０５の内縁、第２刃面部１０６の内縁、及び、第３刃面部１０７の内縁、により構成されている。この刃面１０４の内縁は、本体部１０２の中空部１１０のうち本体部１０２の先端側の一端である先端開口１１１を区画している。
【００８５】
本実施形態の刃面１０４の外縁は、第１刃面部１０５の外縁、第２刃面部１０６の外縁、及び、第３刃面部１０７の外縁、により構成されている。刃面１０４の外縁は、刃面１０４が形成されている刃面領域Ｔを画定している。
【００８６】
本実施形態において、側面視（図５（ｂ）、図６（ｂ）参照）での本体部１０２は、中心軸線Ｏにより２つの領域に分けられる。２つの領域は、針先１０８が含まれる先端領域Ｓ１、及び、針先１０８を含まない基端領域Ｓ２、である。そして、本実施形態では、本体部１０２の側面視（図５（ｂ）、図６（ｂ）参照）において、第３刃面部１０７の少なくとも一部が、基端領域Ｓ２に位置している。
【００８７】
更に、本実施形態では、本体部１０２の側面視（図５（ｂ）、図６（ｂ）参照）において、第３刃面部１０７の先端が、中心軸線Ｏまで到達している。より具体的に、本実施形態では、本体部１０２の側面視（図５（ｂ）、図６（ｂ）参照）において、第３刃面部１０７が、中心軸線Ｏと交差している。つまり、本実施形態の第３刃面部１０７は、本体部１０２の側面視（図５（ｂ）、図６（ｂ）参照）において、先端領域Ｓ１と基端領域Ｓ２とに跨って延在し、同側面視において、第３刃面部１０７の先端が、先端領域Ｓ１に位置している。
【００８８】
本実施形態の穿刺針１０１では、図５（ｂ）、図６（ｂ）に示す側面と反対側の側面（以下、「反対側面」と記載する。）においても、上記同様の関係が成立している。具体的に、本実施形態では、本体部１０２の反対側面の側面視（不図示）において、第３刃面部１０７の先端が、中心軸線Ｏまで到達している。より具体的に、本実施形態では、本体部１０２の反対側面の側面視において、第３刃面部１０７が、中心軸線Ｏと交差している。つまり、本実施形態の第３刃面部１０７は、本体部１０２の反対側面の側面視において、先端領域Ｓ１と基端領域Ｓ２とに跨って延在し、同側面視において、第３刃面部１０７の先端が、先端領域Ｓ１に位置している。
【００８９】
ここで、本実施形態において、第３刃面部１０７の先端とは、第１刃面部１０５及び第２刃面部１０６それぞれと、第３刃面部１０７と、が交差する稜線により形成される尾根部１１４の先端である。
【００９０】
更に、本実施形態では、本体部１０２の側面視（図５（ｂ）、図６（ｂ）参照）において、中心軸線Ｏが、第２刃面部１０６と重なる構成ではないが、第１実施形態と同様、第２刃面部１０６と重なる構成にすることができる。つまり、本体部１０２の側面視（図５（ｂ）、図６（ｂ）参照）において、中心軸線Ｏが、第２刃面部１０６と交差する構成にしてもよい。このような構成とすれば、刃面１０４において、刃縁１０９から延在する第２刃面部１０６の中心軸線方向Ａの長さを、比較的大きく確保することができる。刃面長Ｈにおける、第２刃面部１０６の中心軸線方向Ａにおける長さの割合を大きくすることができれば、刃先角度αを、より小さくすることが可能となり、刃先の薄い穿刺針１０１を実現し易くなる。
【００９１】
本実施形態の穿刺針１０１では、不図示の反対側面においても、上記同様の関係が成立している。具体的に、本実施形態では、本体部１０２の反対側面の側面視において、中心軸線Ｏが、第１刃面部１０５と重なる構成ではない。しかしながら、本体部１０２の反対側面の側面視においても、中心軸線Ｏが、第１刃面部１０５と交差する構成にしてもよい。このような構成とすれば、刃面１０４において、刃縁１０９から延在する第１刃面部１０５の中心軸線方向Ａの長さを、比較的大きく確保することができる。
【００９２】
このように、図５（ｂ）、図６（ｂ）に示す側面と、反対側面と、の両方の側面それぞれの側面視において、中心軸線Ｏが第２刃面部１０６又は第１刃面部１０５と交差する構成とすれば、刃先角度αを、より一層小さくすることが可能となり、刃先の薄い穿刺針１０１を実現し易くなる。
【００９３】
また、本体部１０２の側面視（図２（ｂ）等参照）における第３刃面部１０７の傾斜角度βは、１３度以上、かつ、２０度以下の範囲となっている。このような構成とすることにより、刃面１０４の刃面長Ｈを、筋肉注射等に主に利用される上述のレギュラーベベルの刃面長よりも短くし、静脈注射等に主に利用される上述のショートベベルの刃面長と同程度の刃面長としつつ、刃先角度αをレギュラーベベルと同程度又はそれ以下の角度にすることができる。
【００９４】
つまり、静脈等の脈管の突き抜けが起こり難い短い刃面長を有しつつ、刃面１０４での刺通抵抗が低減でき脈管の確保が容易な穿刺針１０１を実現することができる。また、針先１０８近傍での刺通抵抗が低減できることから、刺通抵抗の変化量を小さくでき、穿刺する際に医療従事者が穿刺方向に加える力の変化量をも小さくすることができる。そのため、穿刺する際に、医療従事者が操作し易い穿刺針１０１を実現することができる。
【００９５】
次に、中心軸線方向Ａと直交する断面における刃面１０４の構成について説明する。
【００９６】
図７は、穿刺針１０１を先端側から見た図である。また、図８（ａ）、図８（ｂ）、図８（ｃ）、図８（ｄ）、図８（ｅ）は、それぞれ図６（ａ）におけるV−V断面図、VI-VI断面図、VII-VII断面図、VIII-VIII断面図、IX断面図である。本実施形態の本体部１０２は、中心平面Ｘを挟んで対称の構造を有している。また、図７、図８では、刃面部間の稜線を実線により示している。
【００９７】
図８（ａ）は、図６（ａ）のV-V断面、すなわち、中心軸線方向Ａにおいて刃縁１０９が形成されている位置での、中心軸線方向Ａと直交する断面である。図８（ａ）に示すように、第１刃面部１０５及び第２刃面部１０６それぞれは、中心平面Ｘに対して鋭角の角度θ５だけ傾斜して延在している。
【００９８】
図８（ｂ）は、図６（ａ）のVI-VI断面、すなわち、中心軸線方向Ａにおいて先端開口１１１がある位置での、第１刃面部１０５及び第２刃面部１０６を含み、かつ、第３刃面部１０７を含まない、中心軸線方向Ａと直交する断面である。図８（ｂ）に示すように、図６（ａ）のVI-VI断面における第１刃面部１０５及び第２刃面部１０６それぞれの、中心平面Ｘに対する鋭角の角度θ６は、角度θ５と等しい。
【００９９】
図８（ｃ）は、図６（ａ）のVII-VII断面、すなわち、中心軸線方向Ａにおいて先端開口１１１がある位置での、第１刃面部１０５、第２刃面部１０６及び第３刃面部１０７を含む、中心軸線方向Ａと直交する断面である。図８（ｃ）に示すように、図６（ａ）のVII-VII断面における第１刃面部１０５及び第２刃面部１０６それぞれの、中心平面Ｘに対する鋭角の角度θ７は、角度θ５及び角度θ６と等しい。
【０１００】
このように、中心軸線方向Ａと直交する断面における第１刃面部１０５及び第２刃面部１０６それぞれの中心平面Ｘに対する鋭角の角度θは、中心軸線方向Ａの位置によらず一定である。
【０１０１】
また、図８（ｃ）に示すように、図６（ａ）のVII-VII断面における第３刃面部１０７の中心平面Ｘに対する角度δ７は約９０度である。換言すれば、図６（ａ）のVII-VII断面において、第３刃面部１０７は、中心平面Ｘと直交する方向に直線状に延在している。
【０１０２】
図８（ｄ）は、図６（ａ）のVIII-VIII断面、すなわち、中心軸線方向Ａにおいて先端開口１１１がある位置での、第３刃面部１０７のみを含む、中心軸線方向Ａと直交する断面である。図８（ｄ）に示すように、図６（ａ）のVIII-VIII断面における第３刃面部１０７の中心平面Ｘに対する角度δ８は約９０度である。換言すれば、図６（ａ）のVIII-VIII断面において、第３刃面部１０７は、中心平面Ｘと直交する方向に直線状に延在している。
【０１０３】
図８（ｅ）は、図６（ａ）のIX-IX断面、すなわち、中心軸線方向Ａにおいて先端開口１１よりも基端側の位置での、第３刃面部１０７のみを含む、中心軸線方向Ａと直交する断面である。図８（ｅ）に示すように、図６（ａ）のIX-IX断面における第３刃面部１０７の中心平面Ｘに対する角度δ９は約９０度である。換言すれば、図６（ａ）のIX-IX断面において、第３刃面部１０７は、中心平面Ｘと直交する方向に直線状に延在している。
【０１０４】
このように、中心軸線方向Ａと直交する断面における第３刃面部１０７の中心平面Ｘに対する角度δは、中心軸線方向Ａの位置によらず約９０度で一定である（図８（ｃ）、図８（ｄ）、図８（ｅ）参照）。
【０１０５】
本実施形態の第３刃面部１０７は、第１刃面部１０５及び第２刃面部１０６の両方の刃面部と、本体部２の基端側で連続している凹形曲面であるが、この構成に限らず、図９、図１０に示すような、複数（図９、図１０では３つ）の平面により凹形に構成されている第３刃面部１０７ａを備える穿刺針２０１としてもよい。
【０１０６】
図９、図１０に示す第３刃面部１０７ａは、２つの先端側平面部１０７ａ１と、１つの基端側平面部１０７ａ２と、で構成されている。一方の先端側平面部１０７ａ１は、一平面で構成されており、第１刃面部１０５の基端側で連続している。他方の先端側平面部１０７ａ１は、一平面で構成されており、第２刃面部１０６の基端側で連続している。基端側平面部１０７ａ２は、一平面で構成されている。また、基端側平面部１０７ａ２は、一方の先端側平面部１０７ａ１の基端側で連続しており、一方の先端側平面部１０７ａ１と交差する稜線により凹底１０７ａ３が形成されている。更に、基端側平面部１０７ａ２は、他方の先端側平面部１０７ａ１の基端側で連続しており、他方の先端側平面部１０７ａ１と交差する稜線により凹底１０７ａ３が形成されている。２つの先端側平面部１０７ａ１は、同一の仮想平面内に含まれる。そのため、本体部１０２の側面視（図９（ｂ）、図１０（ｂ）参照）において、２つの先端側平面部１０７ａ１の中心軸線Ｏに対する鋭角の傾斜角度γ１は等しい。第３刃面部１０７ａは、本体部１０２の側面視（図９（ｂ）、図１０（ｂ）参照）において、凹形状を形成している。すなわち、同断面視において、２つの先端側平面部１０７ａ１の中心軸線Ｏに対する傾斜角度γ１は、基端側平面部１０７ａ２の中心軸線Ｏに対する鋭角の傾斜角度γ２よりも小さい。
【０１０７】
更に、図９、図１０に示す第３刃面部１０７ａに限らず、平面及び曲面の両方を含む第３刃面部としてもよい。このように、第３刃面部が線状に見える本体部の側面視が規定でき、かつ、その側面視での第３刃面部が凹形状を形成する限り、第３刃面部の構成は特に限定されない。但し、図５及び図６に示す１つの凹形曲面により構成される第３刃面部１０７、並びに、図９及び図１０に示すような複数の平面により構成される第３刃面部１０７ａ、とすれば、側面視（図５（ｂ）、図６（ｂ）、図９（ｂ）、図１０（ｂ）参照）で凹形状を形成する第３刃面部を、簡易な構成で実現することができる。
【０１０８】
最後に、上述した穿刺針１の製造方法について説明する。まず、中心軸線に対して傾斜する斜面が先端部に形成された管状部材に対して、第１刃面部５及び第２刃面部６の原形となる第１原形刃面部及び第２原形刃面部を形成する。次に第１原形刃面部及び第２原形刃面部の基端側を切削、研削、放電（ワイヤー放電含む）などで加工し、第１刃面部５、第２刃面部６及び第３刃面部７を形成する。このようにすることで、穿刺針１の刃面４を形成することができる。なお、穿刺針１の刃面４の加工順番については上記に限られない。例えば第３刃面部７の原形となる第３原形刃面部を形成した後に、第１刃面部５、第２刃面部６及び第３刃面部７をそれぞれ形成してもよい。
【０１０９】
上記では、穿刺針１の刃面４の形成方法について説明したが、図５〜図８に示す穿刺針１０１、並びに、図９及び図１０に示す穿刺針２０１、の刃面についても同様の方法により、形成することができる。
【０１１０】
本開示に係る穿刺針は、上述した実施形態に示す具体的な構成に限定されず、特許請求の範囲の記載を逸脱しない限り、種々の変形、変更が可能である。
【産業上の利用可能性】
【０１１１】
本開示は穿刺針に関する。
【符号の説明】
【０１１２】
１、１０１、２０１：穿刺針
２、１０２：本体部
３、１０３：先端部
４、１０４：刃面
５、１０５：第１刃面部
６、１０６：第２刃面部
７、１０７、１０７ａ：第３刃面部
８、１０８：針先
９、１０９：刃縁
１０、１１０：中空部
１１、１１１：先端開口
１４、１１４：尾根部
１０７ａ１：先端側平面部
１０７ａ２：基端側平面部
１０７ａ３：凹底
５０１：穿刺針
５０２：本体部
５０４：刃面
５０６：第１刃面部
５０７：第２刃面部
Ａ：本体部の中心軸線方向
Ｂ：本体部の中心軸線方向と直交する方向
Ｈ：刃面長
Ｌ、Ｌ´：本体部の側面視における第３刃面部の延長線
Ｍ：刃面領域の中間位置
Ｎ：刃面の内縁の基端
Ｏ：本体部の中心軸線
Ｓ１：先端領域
Ｓ２：基端領域
Ｔ：刃面領域
Ｘ：中心平面
α、α´：刃先角度
β、γ１、γ２、β´：傾斜角度
θ、δ：中心軸線方向と直交する断面での刃面部の中心平面に対する角度
【図１】
2019159525.tif 000003
【図２】
2019159525.tif 000004
【図３】
2019159525.tif 000005
【図４】
2019159525.tif 000006
【図５】
2019159525.tif 000007
【図６】
2019159525.tif 000008
【図７】
2019159525.tif 000009
【図８】
2019159525.tif 000010
【図９】
2019159525.tif 000011
【図１０】
2019159525.tif 000012
【図１１】
2019159525.tif 000013
【国際調査報告】
2019159525.tif 000014
2019159525.tif 000015
2019159525.tif 000016
2019159525.tif 000017
2019159525.tif 000018
2019159525.tif 000019
2019159525.tif 000020
2019159525.tif 000021